(57)【要約】      （修正有）【課題】透析機群中に複数のセンサ群を配置することなく、使用済み透析液内の測定を実行可能な、デバイス及びシステムを提供する。【解決手段】少なくとも１つのセンサを有するセンサデバイス１は、該複数のデバイス群６の１つにより出力される少なくとも１つの該媒体流れに関する少なくとも１つの測定量を選択的に検出すべく、配置される。センサデバイス１の上流に配設されるフルイディクスユニット２は、媒体流れ群を運搬する複数のパス群を介し前記複数のデバイス群６と接続可能であり、且つ、１つの媒体流れを前記センサデバイス１へ渡すように前記センサデバイス１に接続される。【選択図】図１
2017142224.tif 000002
【特許請求の範囲】
【請求項１】
少なくとも１つの測定量を測定するための装置であって、
少なくとも１つのセンサを有するセンサデバイス（１）であって、少なくとも１つの媒体運搬検出パスを介し、複数のデバイス群（６）の１つと接続可能であり、前記複数のデバイス群（６）は媒体流れとして捉えられるべき媒体流れをそれぞれ出力し、前記少なくとも１つのセンサは、前記複数のデバイス群（６）の１つにより出力される前記媒体流れに関する少なくとも１つの測定量を選択的に検出すべく、配置されるものと、
前記センサデバイス（１）の上流に配設されるフルイディクスユニット（２）であって、媒体流れ群を運搬する複数のパス群を介し前記複数のデバイス群（６）と接続可能であり、且つ、まさに１つの媒体流れを前記センサデバイス（１）へ渡すように前記センサデバイス（１）に接続されるものとを備え、
前記フルイディクスユニット（２）は、捉えられるべき媒体流れ群の流れ制御を提供すべく配設され、即ち該制御は、前記媒体流れ群を運搬する複数のパス群を介し前記複数のデバイス群（６）により出力される複数の媒体流れ群の１つを選択的に選ぶことと、及び、選択された１つの媒体流れを前記センサデバイス（１）の前記少なくとも１つのセンサに供給することとにより、行われることを特徴とする装置。
【請求項２】
前記少なくとも１つのセンサは、流体パス又は空気パスに沿った媒体流れに関する、前記少なくとも１つの測定量を検出すべく配設される請求項１記載の装置。
【請求項３】
前記センサデバイス（１）は、複数のデバイス群（６）のために集中配置され、且つ、液体パス又は空気パスを介して、透析機（６）の、少なくとも１つの出力（４）、及び／又は、出口に接続される、センサデバイス（１）を構成する請求項１又は２記載の装置。
【請求項４】
前記少なくとも１つのセンサは、前記媒体流れにおける、検体の、クリアランス、及び／又は、濃度を、前記少なくとも１つの測定量として検出すべく、配設される、請求項１から３のいずれかに記載の装置。
【請求項５】
前記センサデバイス（１）は、選択可能な態様で、媒体流れが前記センサデバイス（１）に供給される選択されたデバイス（６）の複数の測定量群のうちの少なくとも１つを検出すべく、配設される請求項１から４のいずれかに記載の装置。
【請求項６】
前記フルイディクスユニット（２）は、次の供給をなすべく配設され、該供給は、時間制御された態様及び所定スイッチングスキームにより、前記複数のデバイス群（６）からの媒体流れ群を前記センサデバイス（１）に供給すること、及び／又は、所定時間区間毎に選択される現在のデバイス（６）からの現在選択されている媒体流れを前記センサデバイス（１）に供給することにより、行われる請求項５記載の装置。
【請求項７】
前記所定時間区間は、前記現在選択されているデバイス（６）内のセンサシステムの検出時間に、適合可能であるか、又は、適合しており、且つ、
複数の所定時間区分群が、接続されているか、又は、接続可能な前記複数のデバイス群（６）のそれぞれにおける、センサシステムの検出時間群に対して、適合可能とすべく、又は、適応すべく提供され、且つ、前記複数の所定時間区分群は、時分割多重の態様で交互に利用可能とされる請求項６記載の装置。
【請求項８】
複数の所定期間群のうち、固定されるか、又は、調整可能な持続時間を有する少なくとも１つの所定時間区画が、センサレスデバイス（６）のために提供される請求項６記載の装置。
【請求項９】
デバイス（６）の選択は、ユーザにより強制可能であり、且つ、如何なる時点であっても、ユーザにより取り消し得る請求項５から８のいずれかに記載の装置。
【請求項１０】
少なくとも１つのマルチポートバルブ（３）、又は、単純なシャットオフバルブ群の組み合わせが、配設されており、該配設は、媒体流れ群を出力する複数のデバイス群（６）の入力側に接続可能とし、出力側において前記センサデバイス（１）と接続し、且つ、前記媒体流れ群を出力する前記複数のデバイス群（６）のそれぞれからの１つの媒体流れを前記センサデバイス（１）に供給すべく行われる請求項１から９のいずれかに記載の装置。
【請求項１１】
関連デバイス（６）、及び／又は、データベースにおける、計測データ、及び／又は、測定量群の、伝送、及び／又は、更なる処理のために、データ管理、及び／又は、通信デバイス（２０）へのインターフェイスが設けられている請求項１から１０のいずれかに記載の装置。
【請求項１２】
追加デバイスが、センサデバイス（１）上に設けられ、且つ、前記センサにより要求される試薬を追加すべく配設される請求項１から１１のいずれかに記載の装置。
【請求項１３】
外部単一又は複合センサデバイスのための集中デバイスを備える、システムであって、
請求項１から１２のいずれかに記載の少なくとも１つの測定量を測定する中央配置デバイスと、
少なくとも１つの出口（４）にて測定されるべき媒体流れを出力する、少なくとも１つのデバイス（６）を備え、
媒体流れを出力するいくつかのデバイス群（６）が前記少なくとも１つの測定量を測定する前記デバイスに接続されている場合、前記複数のデバイス群（６）の１つが、選択的に選ばれ得ると共に、所定の時間区分において該デバイスに接続可能であることを特徴とするシステム。
【請求項１４】
データ管理、及び／又は、通信デバイス（２０）であって、捉えられた情報、データ、及び／又は、測定値群を、前記少なくとも１つの測定量を測定する前記デバイスから受信すべく配設されるものを更に備える請求項１３記載のシステム。
【請求項１５】
データ管理、及び／又は、通信デバイス（２０）が、配設されており、該配設は、前記少なくとも１つの測定量を測定する前記デバイスから受信した、情報、データ、及び／又は、測定値群を、媒体流れを出力する所定のデバイス（６）へ転送すべく、及び／又は、これらをデータベース内へ保存すべく行われる請求項１４記載のシステム。
【請求項１６】
前記データ管理、及び／又は、通信デバイス（２０）は、媒体流れを出力するデバイス（６）により出力される、制御、及び／又は、閉ループ制御命令群を、前記少なくとも１つの測定量を測定する前記デバイスへ転送すべく、配設される請求項１４又は１５記載のシステム。
【請求項１７】
次の表示を行う表示デバイス（６ａ）を更に備え、該表示は、少なくとも１つの測定量を測定する前記デバイスにより捉えられた、情報、データ、及び／又は、測定値群を表示すること、及び／又は、媒体流れを出力するデバイス（６）により出力された、システム関連制御、及び／又は、閉ループ制御機能群に関連する、情報又は命令群を表示することである請求項１３から１６のいずれかに記載のシステム。
【発明の詳細な説明】
【技術分野】
【０００１】
本発明は、センサデバイス及びセンサデバイスを備えるシステムに関する。特に、本発明は、少なくとも１つの測定量を測定する、外部の単一又は複合のセンサ適用群のための中央デバイスと、それと同時に、測定されるべき媒体を供給し、且つ該デバイスを備えるシステムに関するものである。
【背景技術】
【０００２】
透析分野において、例えば、センサ群は、最も変化するパラメータ群をモニタするために主として使用され、また、例えば、血液の清浄レベルは、使用済み透析液（ＤＦ）中の吸光度測定の助けをかりて決定され、それは、清浄化された血液の化学的イメージとなる。
【０００３】
ここで、吸光度測定は、光学ＵＶ透過性センサにより、及び／又は、それを使用して行われる。
【０００４】
公知アセンブリでは、センサは透析機の固定構成部分であり、しかして、そこにおいて所望の変数又は該当する測定値が出力されるべき、各透析機は、かかる１つ又はいくつかのセンサ（群）を装備しなければならず、こうなると、重点的開発を要し、コストが問題となる。
【０００５】
透析センターでは、かかる複数の透析機群が同時に又は時間差を設定して使用され得る。そうする際、使用済み透析液体の廃棄は、共通のライン上で出されることになる。
【０００６】
にもかかわらず、いくつもの透析機群中に、対応するセンサ群が複数設けられなければならない。
【発明の開示】
【発明が解決しようとする課題】
【０００７】
しかして、本発明は、基礎として、いくつもの透析機群中に複数の、対応する、及び／又は、類似するセンサ群を配置することなく、使用済み透析液内の測定を実行可能な、デバイス及びシステムを提供することを目的とする。
【課題を解決するための手段】
【０００８】
本目的は、本発明により、請求項１の特徴を有する少なくとも１つの測定量を測定するデバイスと、請求項１３の特徴を有し、外部の単一又は複合のセンサデバイスのための中央配置デバイスを備えるシステムとにより、達成される。
【０００９】
本発明は、中央配置されたセンサデバイスが、いくつかの透析機群のために、同時に又は時間差を設定して使用できるようにすべく、使用済み透析液群の測定を行いながら、透析機からセンサ群を取り除くという一般的考え方に基づく。
【００１０】
本目的のため、本発明によるセンサシステムを使用すると、使用済み透析液が、各センサの単一の模範のみを備える外部デバイスを通って導かれるように再編成される。こうすると、使用されるセンサ群の個数が劇的に削減される。
【００１１】
いくつかの透析機を操作可能とするため、デバイスは、追加的に、媒体内の流れ群を外部デバイス内のセンサ（群）へリルートできるモジュールを備える。該リルートは、透析機により出力される媒体流れ群を、適切にバイパスし、又は流れ群の流路を切り替えることによる（所望の透析機の使用済み透析液のような流体又は液体を主とするが、それにより限定されるものではない。）。
【００１２】
特に、透析機内の公知センサ群は、これら値群をいずれにしても３〜５分毎に測定するため、この点は、特に可能となる。
【００１３】
一方、他の機群のための値群は、例えば、解像度の低下を受け入れる義務なしに、記録可能である。
【００１４】
透析機内に設置すべく多数のセンサ群の生産に焦点を当てる代わりに、外部集中設置されるセンサデバイスが、有利なことに、システム全体として必要となるセンサ群の個数を低減し、しかして、コストをカットすることを可能とする。
【００１５】
さらには、例えば、（クレアチニン、尿素等の）量的変数群の測定のためのセンサ群を更に使用することが可能となろう。
【００１６】
加えて、あるセンサ群は、該当する試薬群を添加するための追加のデバイスを必要とする。
【００１７】
公知のアセンブリ群を用いる場合、かかる追加のデバイスを設けるには、透析機内のスペースを必要とし、さらに高い制限要件をも満足しなければならない。
【００１８】
しかしながら、本発明によれば、透析液ドレイン部に配置された全てのセンサ群を、中央配置デバイス内に収容することが可能である。
【００１９】
この場合、それらはインビトロの診断用試薬を意味するため、制限要件がかなり低くなる。
【００２０】
この点により、本発明によるデバイスは、透析機中に、実際個別に存在しなければならぬ要素群及び構成部品群のための空間を提供する。
【００２１】
低コストの機群、及び／又は、他の製造者からの機群−これらは、通常、分離された、及び／又は、互換性のあるセンサシステムが透析機のドレイン部内に装備されていない−をもが該デバイスに接続可能であること、及び、システムネットワーク上での動作が可能であるということから、更なる利点群が得られる。
【００２２】
さらに、測定値群は、例えば、データ管理システム群のような既に存在するインフラストラクチャにより、透析機、及び／又は、対応するデータベースへ送信又は転送することができる。
【００２３】
特に、上述の利点群及び上記目的は、次のデバイスにより達成／満たされる。即ち、少なくとも１つの測定量を測定するための装置であって、少なくとも１つのセンサを有するセンサデバイスを備え、少なくとも１つの媒体運搬検出パスを介し、複数のデバイス群の少なくとも１つと接続可能であり、該複数のデバイス群は捉えられるべき媒体流れをそれぞれ出力し、該少なくとも１つのセンサは、該複数のデバイス群の１つにより出力される少なくとも１つの媒体流れに関する少なくとも１つの測定量を選択的に検出すべく、配置される。
【００２４】
少なくとも１つの測定量を測定するための装置であって、次を備えるものが示唆される。
【００２５】
すなわち、スタンドアロンのセンサのような少なくとも１つのセンサを有するセンサデバイスであって、少なくとも１つの媒体運搬検出パスを介し、透析機群のような複数の（医療）デバイス群の１つと接続可能であり、該複数のデバイス群は媒体（使用済み透析流体群／透析液群）流れとして捉えられるべき媒体流れをそれぞれ出力し、該少なくとも１つのセンサは、１つのデバイスにより出力される該媒体流れに関する少なくとも１つの測定量を選択的に検出すべく、配置されるものと、該センサデバイスの上流に配設されるフルイディクスユニット（例えば、スイッチバルブ又はマルチポートバルブ）であって、媒体流れ群を運搬する複数のパス群を介し該複数のデバイス群と接続可能であり、且つ、まさに１つの媒体流れを該センサデバイスへ（選択的に）渡すように該センサデバイスに接続されるものとを備え、該フルイディクスユニットは、捉えられるべき媒体流れ群の（プロセッサ／ＣＰＵにより行われる）流れ制御を提供すべく配設され、即ち該制御は、媒体流れ群を運搬する該複数のパス群を介し該複数のデバイス群により出力される複数の媒体流れ群の１つを選択的に選ぶことと、及び、選択された１つの媒体流れを該センサデバイスの該少なくとも１つのセンサに供給することにより、行われる。
【００２６】
好ましくは、該少なくとも１つのセンサは、流体パス又は空気パスに沿った媒体流れに関する、該少なくとも１つの測定量を検出すべく配設される。
【００２７】
好ましくは、該センサデバイスは、複数のデバイス群のために集中配置され、且つ、液体パス又は空気パスを介して、透析機の、少なくとも１つの出力、及び／又は、出口に接続される、センサデバイスを構成する。
【００２８】
好ましくは、該少なくとも１つのセンサは、該媒体流れにおける、検体の、クリアランス、及び／又は、濃度を、該少なくとも１つの測定量として検出すべく、配設される。
【００２９】
好ましくは、該センサデバイスの上流に配設される流れ制御フルイディクスユニットは、該少なくとも１つの媒体流れを該センサデバイスへ渡すよう接続され、該フルイディクスユニットは、特に選択的な態様で、複数の媒体流れ群を出力する複数のデバイス群により出力される複数の媒体流れの少なくとも１つを、該少なくとも１つのセンサデバイスに供給すべく配設され、及び／又は、該センサデバイスは、特に選択可能な態様で、その媒体流れが該センサデバイスに供給される、選択されたデバイスの、複数の測定量群の少なくとも１つを検出すべく配設される。
【００３０】
好ましくは、該フルイディクスユニットは、次の供給をなすべく配設され、該供給は、時間制御された態様及び所定スイッチングスキームにより、該複数のデバイス群からの媒体流れ群を該センサデバイスに供給すること、及び／又は、所定時間区間毎に選択される現在のデバイスからの現在選択されている媒体流れを該センサデバイスに供給することにより、行われる。
【００３１】
好ましくは、該所定時間区間は、該現在選択されているデバイスのセンサシステムの検出時間に、適合可能であるか、又は、適合しており、且つ、複数の所定時間区分群が、接続されているか、又は、接続可能な該複数のデバイス群のそれぞれにおける、センサシステムの検出時間群に対して、適合可能とすべく、又は、適応すべく提供され、且つ、該複数の所定時間区分群は時分割多重の態様で交互に利用可能とされる。
【００３２】
好ましくは、複数の所定期間群のうち、固定されるか、又は、調整可能な持続時間を有する少なくとも１つの所定時間区分が、センサレスデバイスのために提供される。
【００３３】
好ましくは、デバイスの選択は、ユーザにより強制可能であり、且つ、如何なる時点であっても、ユーザにより取り消し得る。
【００３４】
好ましくは、次をなすべく少なくとも１つのマルチポートバルブが、配設されており、該配設は、媒体流れ群を出力する複数のデバイス群の入力側に接続可能とし、出力側において該センサデバイスと接続し、且つ、該媒体流れ群を出力する該複数のデバイス群のそれぞれからの１つの媒体流れを該センサデバイスに供給すべく行われる。
【００３５】
該少なくとも１つのマルチポートバルブの代わりに、本発明によるデバイスに実装される、単純なシャットオフバルブ群の賢い組み合わせを設けることも、可能である。
【００３６】
好ましくは、関連デバイス、及び／又は、データベースにおける、計測データ、及び／又は、測定量群の、伝送、及び／又は、更なる処理のために、データ管理、及び／又は、通信デバイスへのインターフェイスが、設けられる。
【００３７】
好ましくは、（ポンプ、シリンジ、バルブ等の）追加デバイスが、センサデバイス上に設けられ、且つ、該センサにより要求される試薬を追加すべく配設される。
【００３８】
外部単一又は複合センサデバイスのための集中デバイスを備える、システムであって、先行する全請求項のいずれかに記載の少なくとも１つの測定量を測定し（少なくともセンサとフルイディクスユニットを備える）中央配置デバイスと、少なくとも１つの出口にて測定されるべき媒体流れを出力する、少なくとも１つの（透析機等の医療）デバイスを備え、媒体（透析液／流体）流れを出力するいくつかのデバイス群（透析機群）が該少なくとも１つの測定量を測定する該（集中配置された）デバイスに接続されている場合、該複数のデバイス群（透析機群）の１つが、選択的に選ばれ得ると共に、所定の時間区分において該（集中配置された）デバイスに接続可能である。
【００３９】
好ましくは、該システムは、データ管理、及び／又は、通信デバイスであって、捉えられた情報、データ、及び／又は、測定値群を、該少なくとも１つの測定量を測定する該デバイスから受信すべく配設されるものを備える。
【００４０】
好ましくは、次をなすべくデータ管理、及び／又は、通信デバイスが、配設されており、該配設は、該少なくとも１つの測定量を測定する該デバイスから受信した、情報、データ、及び／又は、測定値群を、媒体流れを出力する所定のデバイスへ転送すべく、及び／又は、これらをデータベース内へ保存すべく行われる。
【００４１】
好ましくは、該データ管理、及び／又は、通信デバイスは、媒体流れを出力するデバイスにより出力される、制御、及び／又は、閉ループ制御命令群を、該少なくとも１つの測定量を測定する該装置へ転送すべく、配設される。
【００４２】
好ましくは、次の表示を行う表示デバイスを更に備え、該表示は、少なくとも１つの測定量を測定するデバイスにより捉えられた、情報、データ、及び／又は、測定値群を表示すること、及び／又は、媒体流れを出力するデバイスにより出力された、システム関連制御、及び／又は、閉ループ制御機能群に関連する、情報又は命令群を表示するものである。
【図面の簡単な説明】
【００４３】
【図１】典型的な実施の形態による中央配置センサデバイスを備える、透析機群の液体出力群を系統的に接続することにより、使用済み透析液中における様々な変数群を、時間的に適合測定するためのシステムの概略図である。
【図２】異なる透析機群からの流れ群を制御・管理すべく配設され、且つ、図１による典型的な実施の形態で使用可能なフルイディクスシステムの概略図である。
【図３】図２によるフルイディクスシステムの変形例の概略図であり、同システムは、異なる透析機群からの流れ群を制御・管理すべく配設され、且つ、図１による典型的な実施の形態で使用可能である。
【発明を実施するための最良の形態】
【００４４】
以下、添付図面を参照しながら、好ましい典型的な実施の形態群に基づいて、本発明は記述される。以下の記述において、同一であるか、又は、機能的に同一の要素群及び構成要素群は、各図において、同じ符号を付されるものであり、便宜上、冗長には記述されない。
【００４５】
次の典型的な実施の形態が先行する実施の形態群の少なくとも１つに機能的に対応するものである場合、即ち、対応する、機能群、配置群、及び／又は、動作モード群が類似するように含まれていれば、差分のみが便宜のために記述されることとなる。
【００４６】
次の典型的な実施の形態群において、様々な変数群「検体（クレアチニン、尿素など）や電解質群（ナトリウムなど）の導電率、温度、ｐＨ値、Ｋｔ／Ｖ、濃度群」を測定するデバイスを備える、装置及びシステムは、液体出口又は空気経路を介し、集中配置されるセンサデバイスの助けをかりて、透析機へ接続されるものである。
【００４７】
適切な流れ制御ユニットは、選択機群の様々な測定量群を検出可能とする。
【００４８】
データ管理、及び／又は、通信アプリケーションは、測定された情報、データ、及び／又は、透析機（例えば、これらをディスプレイ装置上に表示したり、例えば、制御及び閉ループ制御命令群として）へ、及び／又は、データベース中へ、転送又は送信することを、考慮に入れている。
【００４９】
図１は、透析機の流体出力群と集中配置されたセンサデバイス（スタンドアロンのセンサ）間における、システマティックな接続を介し、使用済み透析液中における、種々の変数群を時間適応的に測定するためのシステムを、概略図示するものである。
【００５０】
センサ、サーバ／プロセッサ（ＣＰＵ）、データベース、及び少なくとも１つの透析機の間における、データ通信用ネットワークへの、付加的接続が破線で示されている。
【００５１】
このように、センサデバイスにより収集された如何なる値群も、（例えば、透析機のスクリーンに表示されるように）、更なる処理へ送出可能である。
【００５２】
特に、図１は、３つの表示機群６であって、それぞれが、（例えば、スクリーン、キーボードなどの）入力、及び／又は、表示装置６ａ、及び、透析機への出口４を備える。
【００５３】
図示の明瞭さのため、単一の出口のみが、符号４を伴って図１に示されている。さらに、３つの透析機群の個数に関し、何らの制限もない。
【００５４】
設計に依存して、該典型的な実施の形態におけるシステムには、ほとんどあらゆる台数の透析機群が統合され得る。
【００５５】
該透析機群６の各々の個別出口群４は、スマートな流体管理装置を構成する、フルイディクスユニット２の入口群に別々に案内される。
【００５６】
フルイディクスユニット２の内部には、後述する少なくとも１つのマルチポートバルブが備えられ、該バルブは、制御された態様で、流体経路群、又は、流体ライン群を開閉すべく配置される。該態様では、フルイディクスユニット２が、−透析機から出力される媒体流れを形成する、選ばれた流体、又は、液体流の−少なくとも１つの選択されるものを通し、且つ、選ばれておらず／選択されていない他の透析機群からの流体流れ群をブロックするものである。
【００５７】
通った流体流れは、フルイディクスユニット２の出口で出力され、センサデバイス１にそこで測定されるべく供給される。
【００５８】
図１は、例として、３台の透析機群６を備えるシステムを示す。ここで、オプションとして、ほとんど如何なる台数の透析機群が接続できるのであって、その限りにおいて、透析機群の台数には一切制限はない。
【００５９】
また、これら透析機群は、それぞれセンサデバイス１（スタンドアロンのセンサ）への、その（透析）液体接続出口４を有する。
【００６０】
測定されるべき透析機群６の１つを選択することは、次により行われる。即ち、センサデバイス１の上流側に設けられ、スマートな流れ制御スキームにより動作する、流れ制御ユニット（即ち、フルイディクスユニット２）を適切に設計することによる。
【００６１】
ここで、フルイディクスユニット２は任意に設け得る点を指摘しておく。その意味は、流体流れ群の接続、及び／又は、切断は、適切なバルブ手段等により透析機６上で直接行われても良く、例えば、或いは、フルイディクスユニット２がセンサデバイス１と一体的となるように設計されても良いということである。
【００６２】
センサデバイス１は、更に、１つ又はそれ以上の異なる（不図示の）センサ群を備えても良いし、それと同時に、それ自体公知の、（試薬）ポンプ群、制御ユニット群、演算ユニット群のような、機械的及び電子的システム群を有していても良い。
【００６３】
通信、及び／又は、データ管理装置２０、あるいは対応するアプリケーションは、情報を透析機へ送信可能とする。
【００６４】
かかる情報は、例えば、捕らえられた濃度値、あるいはクリアランス値（Ｋｔ／Ｖ）を含んでも良い。
【００６５】
しかしながら、血液流を制御するため、制御命令群を同時に送り又は転送することも可能であり、例えば、他の方法群に血液関連の濃度群を決定させることもできる。
【００６６】
検知された値群は、透析機６により利用可能であって、スクリーン６ａ上に表示されるか、及び／又は、（不図示の）データベースに書き込まれるために、出力されても良い。
【００６７】
データベースへ書き込む場合、このように得られたデータは、より長い期間に亘って分析され得る。
【００６８】
図２は、異なる透析機群６からの流れ群を、制御・管理すべく配設されるフルイディクスシステムの概略図であり、図１による典型的な実施の形態において使用可能である。
【００６９】
特に、図２は、２つの透析機群６を示し、これらはそれぞれ関連して動作し、及び／又は、それぞれが１つの透析液出口４を備える表示デバイス６ａを有する。
【００７０】
これら透析液体排出口群４において、透析機群６による媒体流れとして運搬される、透析液流れ群のそれぞれは、フルイディクスユニット２の対応する入口に供給される。
【００７１】
少なくとも１つのマルチポートバルブ３がフルイディクスユニット２に設けられる。該バルブは、所定の制御態様で、各個別の透析液流れを、ばらばらに伝送したり、或いはブロックしたりすべく配置されるものであり、かかる処理は、いずれにしても、固定的であるか、或いは適応的な時間区画に亘って行われる。
【００７２】
例として且つ図２によれば、上側の透析機６により運搬される透析液は、センサデバイス１へ通すことができるが、同時に、下側の透析機６により出力される透析液は、マルチポートバルブ３によりブロックされ得るものであり、しかして、センサデバイス１には運送されない。
【００７３】
選択されていない透析機群６からの継続的排出をも確保するために、センサデバイス１を通らない全ての透析液流れ群は、例えば、マルチポートバルブ３から枝分かれする廃棄ライン群５により、フルイディクスユニット２から放出されても良い。
【００７４】
各透析機６において実行される処理プロセスによって、各透析機６において検出される値群の時間的振る舞いに基づいて、上記時間区画群が特定され、或いは選択されることが望ましい。
【００７５】
言い換えると、センサデバイス１内で測定されるべく、特定の透析機６の透析液を通すプロセスは、好ましくは、値群の記録又は検出が該特定の透析機６において完了すると想定されるところの、これらの時間区間群又はこれらの時点群（例えば、３〜５分ごと）で行われるのが好ましい。別の透析機６の透析液は、他の時点群において測定可能である。
【００７６】
このため、いくつかの透析機６は、例えば、それらが適切な時間オフセットを伴って、それぞれ必要な値群を受信するように、操作され得るものであり、又は、それらの処理を行っても良いものである。
【００７７】
該システムの構成部分群、及び／又は、部品群もが、複合形態で設けられ得ることは、言うまでもない。
【００７８】
例として、現存するサイクルタイム群内において、既に接続済みの透析機群６の個数が、更なる透析機群６の接続を許さないのであれば、該更なる透析機群６からの媒体流れ群を測定する、第２のフルイディクスユニット２、及び／又は、第２のセンサデバイス１を、追加しても良い。
【００７９】
図２において、簡略化された形態で示される、流れ制御ユニット、又は、フルイディクスシステムの典型的な実施の形態によれば、いくつかの透析機群６が、ただ１つのセンサデバイス１に接続可能である。
【００８０】
明瞭性の理由により、図２からデジタル接続群の図示は、省略されているが、該当する透析機６とただ１つのセンサデバイス１間において、情報を転送可能なことは、自明である。
【００８１】
上述された、フルイディクスユニット２による、スマートな流体管理スキームの核心は、２つのポートを備えた変形例における、典型的な実施の形態により図示された、少なくとも１つのマルチポートバルブ３によって、表現される。
【００８２】
透析機６の透析液用の出力又は出口４は、フルイディクスユニット２を介し、少なくとも１つのマルチポートバルブ３に接続される。これにより、機内流れ群が制御可能となる。
【００８３】
（不図示の）デジタルインターフェースは、透析液が試験されるべき透析機を決定する可能性を示す。余の経路群は、ドレインに放出されることになる。
【００８４】
測定値群は、しかるのち、図示、及び／又は、更なる処理のため、該当する機械に転送され得る。
【００８５】
図３は、図２によるフルイディクスシステムの変形例の概略図であり、異なる透析機群からの流れ群を制御・管理すべく配設され、図１による典型的実施の形態中において使用可能である。
【００８６】
図３によれば、少なくとも１つのマルチポートバルブ３が、透析機６の出口４上に直接配設されている。
【００８７】
これには、上述した測定原理を維持しながら、ライン群の配置が、ここではより柔軟となるという一層の利点がある。
【００８８】
本発明によれば、多くのセンサ群を実装する点において、コストが削減される。Ｋｔ／Ｖ、クレアチニン、尿素、さらには、酵素のテスト群をも含めて、極めて広範囲の変数群の、調査又は検出のために、複数のセンサ群を使用することが可能である。インビトロの診断用試薬としての可能な分類により、満足されねばならない規則要件群がより低下する。そうして、それ自身のセンサシステムを装備していない透析機群についても、上述したセンサシステムの、引用される利益群が供されるものである。
【００８９】
かくして、以上において、少なくとも１つの測定量を測定するためデバイス、及び、集中配置の態様による外部単一又は複合センサデバイス群のためのデバイスを含むシステムが、述べられてきた。
【００９０】
該装置は、少なくとも１つのセンサを有するセンサデバイスであって、少なくとも１つの媒体運搬検出パスを介し、捉えられるべき少なくとも１つの媒体流れをそれぞれ出力する、複数のデバイス群の少なくとも１つと接続可能であり、該少なくとも１つのセンサは、該複数のデバイス群の１つにより出力される少なくとも１つの該媒体流れに関する少なくとも１つの測定量を選択的に検出すべく、配置されるものを備える。
【００９１】
該システムは、少なくとも１つのデバイスであって少なくとも１つの出口にて測定されるべき媒体流れを出力するものをさらに備え、媒体流れを出力するいくつかのデバイス群が該少なくとも１つの測定量を測定する該デバイスに接続されている場合、媒体流れを出力する該複数のデバイス群の１つが、選択的に選ばれ得ると共に、所定の時間区分において該デバイスに接続可能である。
【００９２】
本発明は、記述された典型的な実施の形態群に制限されないことは理解されよう。特に、単に例として取り上げられたに過ぎない、透析機及び透析液体、数値群及びそれらの文脈中で与えられた、大小のオーダー等には限定されない。また、当業者により推察され得る、自明の変形例群や等価な解法群は、各請求項により定義される発明の保護範囲に属するものである。
【図１】
2017142224.tif 000003
【図２】
2017142224.tif 000004
【図３】
2017142224.tif 000005
【外国語明細書】
2017142224000001.pdf
2017142224000002.pdf
2017142224000003.pdf
2017142224000004.pdf